(57)【特許請求の範囲】
【請求項１】
伸縮可能な多段ブームの先端に取り付けられたジブを、一つの取付具を中心に旋回させて基端ブーム側方に格納して保持するジブの格納保持装置であって、基端ブーム側壁及びジブ側壁各々に設けられた保持具を具備し、そのいずれか一方の保持具は、２つの支持部間に渡された保持棒からなり、他の一方の保持具は、溝を有する保持板と支点を中心に回転可能な先端が凹部であるレバーからなっており、かつジブを基端ブーム側方に格納する際に、前記レバーの先端が平面視で前記保持具が設けられたジブ側壁と反対側の側壁より手で握れるだけ突出可能となっていて、ジブを多段ブーム先端に取り付けられた状態で多段ブームを縮小した後に前記一つの取付具を中心に旋回して格納したとき、あるいはジブを前記取付具を中心に旋回した後に多段ブームを縮小して格納したときに前記保持棒と前記保持板の溝とが互いに係合し、その状態で、前記保持具の前記レバーを回転させると、レバー先端の凹部が前記保持棒に係合してジブが基端ブーム側方で支持されるようになっていることを特徴とするジブの格納保持装置。
【発明の詳細な説明】
【０００１】
【発明の属する技術分野】
本発明は伸縮可能な多段ブームの先端のブームに取り付けるジブを、多段ブームの基端ブーム側方に格納して保持するジブの格納保持装置に関するものである。
【０００２】
【従来の技術】
狭くて障害物の多い現場で重量物のつり上げ設置作業を効率良く行うために、多段ブームを伸ばした状態で、多段ブームの先端ブームの先にジブを取り付けて作業することが多い。このジブは多段ブームの基端ブーム側方に取り付けられ、格納されるようになっている。ジブを基端ブーム側方に格納する場合の従来の格納の方法及び格納するための格納保持装置について図５〜図７を基に説明する。
【０００３】
図５はジブと先端ブームとの片方の取付具の取付を解除し、ジブを一方の取付具の取付位置で旋回させ、基端ブーム側方に格納するときの状態を示す平面図である。図６は図５の保持具位置での断面図である。図７は図５に示す状態で保持具で保持されたジブをジブ基端部との先端ブームとの取付を解除し、保持具を中心に旋回してジブを基端ブーム側方に格納し終えた状態の平面図（図７Ａ）及び側面図（図７Ｂ）である。
このように先端ブーム１２に取り付けられたジブ２０を基端ブーム１１の側方に格納するには、二通りの方法がある。一つはジブを先端ブームの先に固定したまま多段ブームの縮小を完了し、その後にジブを旋回させて格納する方法であり、もう一つは完全に多段ブームを縮小しない状態でジブを旋回させた状態にしておき、その後に多段ブームを縮小して格納する方法である。前者の方法ではジブの保持具は基端ブームの側面にほぼ直角方向に移動して格納され、後者の方法では、ジブの保持部は基端ブームの側面とほぼ平行方向に移動して格納される。
図５は前記いずれかの方法によりジブが基端ブーム側方で格納されている状態を示している。
【０００４】
ジブ２０が多段ブーム１０の先端ブーム１２に取り付けられている場合は、ジブ２０の基端部２１の取付孔２２ａ、２２ｂが先端ブーム１２の取付孔１３ａ、１３ｂと合致し、その孔にピン１４ａ、１４ｂが挿入されて固定されるようになっている。この状態からジブを旋回するには次のようにする。
基端部２１の取付孔２２ｂと先端ブーム１２の取付孔１３ｂを貫通して固定しているピン１４ｂを引き抜いて固定を解除し、一方の取付部（取付孔２２ａと取付孔１３ａをピン１４ａで固定したもの）を中心に、ジブ２０を旋回させる（図５参照）。
前記いずれかの方法により、ジブ２０が基端ブーム１１の側方に来て基端ブーム１１側に設けられた保持具１５とジブ側の保持具２３の孔が一致する状態（図５で示す状態）になると、その状態でピン１６を上から保持具１５、２３の孔に差し込んでジブ２０を保持する。その後ピン１４ａを引き抜いてジブ基端部２１と先端ブーム１２との取付を完全に解除して保持具１５、２３の孔を中心にジブ２０を旋回させ、ジブの先端部を図７に示す基端ブーム側の支持台１７の奥まで押し込んで固定し、ジブの格納を完了する。
【０００５】
【発明が解決しようとする課題】
以上述べたような方法でジブを格納する際には、基端ブームとジブの間隙が狭いため、保持具１５、２３の孔にピンを差し込む操作者はジブの下で頭を下げ、片手でジブを移動させながら保持具の孔を合致させ、その状態で片手をジブと基端ブームの隙間に差し入れて、上方から保持具の孔にピンを差し込まなければならなかった。したがって、ピン孔を合わせてピンを上方から差し込むという作業を不自然な姿勢で、しかも孔が合致したかどうかがよく見通せない状態で行う必要があり作業性が悪く、かつピンが確実に設置できないことがあった。またジブの下方に入って作業をするためにジブが落下したときに身体に危険が及ぶ虞があった。
そしてジブの格納を解いてジブを先端ブームに取り付ける場合にも同様の問題があった。
そこで本発明の目的はジブを基端ブームに格納する際の保持具への取付作業及び格納状態からの解放作業が簡単確実でかつ安全に行えるジブの格納保持装置を提供することである。
【０００６】
【課題を解決するための手段】
上記目的を達成するため本発明は次のようなジブの格納保持装置を採用した。
すなわち、この格納保持装置は、伸縮可能な多段ブームの先端に取り付けられたジブを、一つの取付具を中心に旋回させて基端ブーム側方に格納して保持するジブの格納保持装置であって、基端ブーム側壁及びジブ側壁各々に設けられた保持具を具備し、そのいずれか一方の保持具は、２つの支持部間に渡された保持棒からなり、他の一方の保持具は、溝を有する保持板と支点を中心に回転可能な先端が凹部であるレバーからなっており、かつジブを基端ブーム側方に格納する際に、前記レバーの先端が平面視で前記保持具が設けられたジブ側壁と反対側の側壁より手で握れるだけ突出可能となっていて、ジブを多段ブーム先端に取り付けられた状態で多段ブームを縮小した後に前記一つの取付具を中心に旋回して格納したとき、あるいはジブを前記取付具を中心に旋回した後に多段ブームを縮小して格納したときに前記保持棒と前記保持板の溝とが互いに係合し、その状態で、前記保持具の前記レバーを回転させると、レバー先端の凹部が前記保持棒に係合してジブが基端ブーム側方で支持されるようになっていることを特徴とするものである。
【０００７】
【発明の実施の形態】
以下本発明の実施例について図面を基に説明する。以下の実施例１は多段ブームの縮小を完了した後にジブを旋回させて格納するタイプのものであり、実施例２はジブを旋回した後に多段ブームを縮小させて格納するタイプのものである。
【０００８】
（実施例１）
図１は実施例１を用いてジブを基端ブームに格納している状態を示す平面図であり、図２は図１の保持部の位置での断面図である。図３は互いに離れた状態での基端ブーム側及びジブ側の保持具の斜視図である。
図１〜図３に示すように本実施例と従来例とは保持具の部分が異なっており、他の部分は同じである。本実施例では基端ブーム側の保持具３０は金具３１に丸棒３２が固定されており、これと係合するジブ側の保持具４０は上下に丸棒３２が係合する溝４１が設けられた板があり、ジブが旋回して基端ブーム側に押しつけられられると、この板の溝４１が丸棒３２に係合するようになっている。そしてジブ側の保持具４０には連結棒４２を介してその動きが上方のフック４３に伝達されるレバー付フック４４がその下部に設けられている。このレバー付フック４４のレバー４４ａは連結棒４２を中心に回転自在になっており、ジブ２０を先端ブーム１２から基端ブーム１１の側方へ旋回させて格納する際には、レバー４４ａを図１に二点鎖線で示す位置（同図でレバーを左回転した位置）にしておく。そうするとフック４３、４４の頭の部分はジブ２０が旋回して保持具４０の溝４１が基端ブームの保持具３０の丸棒３２に係合する際にじゃまにならないので、保持具４０の溝４１は保持具３０の丸棒３２にぴったりと係合する（図３参照）。
図１〜図３に示すようにレバー４４ａにはレバー延長部４４ｂが取り付けられており、図１に示す実線又は二点鎖線で示すレバーの位置でジブ側面に折り曲げて、固定具４５によりジブ２０に固定できるようになっている。
そしてレバー４４ａを操作するときは、レバー延長部４４ｂを図２の二点鎖線で示す伸ばした状態にしておき、レバー延長部４４ａを手で握って回転させるので、操作者はジブの下方に入る必要はなく、ジブから離れた位置でレバーを操作できるようになっている。
【０００９】
操作者がジブ２０を旋回させて奥まで押し込むと保持具４０の溝４１が丸棒３２とぴったりと係合するので、その状態でレバー延長部４４ｂを持ってレバー４４ａを回転させて、図１に示す実線の状態にするとレバー４４ａの先端のフック４４及び保持具上部のフック４３が丸棒３２に係り、ジブが横方向に移動しないようになり、この状態で保持される。この状態でピン１４ａを引き抜いて、ジブ２０の基端部２１と先端ブーム１２の取付を完全に解除し、保持具３０の丸棒３２を中心にジブ２０を旋回させて先端を支持台１７の奥まで押し込んでピン等の適宜の手段で固定し、格納を完了させる。
【００１０】
本実施例によってジブ２０を格納する際には、ジブ２０を基端ブーム側に押しつけた状態でレバー４４ａを操作すれば、基端ブーム側の保持具３０の丸棒３２とジブ側の保持具のフック４４、４３ａが係合してジブ２０が基端ブーム側方にに確実に取り付けられるため、ジブ２０の格納作業が簡単でかつ確実である。
またレバー４４ａはレバー延長部４４ｂを持って操作できるので、操作者がジブ２０の下方に入らなくても操作でき、操作者が安全に作業することができる。なおレバー４４ａを操作する際にレバー４４ａにロープなどを付けておき、それを引っ張ってレバーを操作するようにしても操作者は安全に作業できる。
【００１１】
（実施例１の変形例）
本実施例では基端ブーム側に丸棒３２のついた保持具、ジブ側にこれと係合する溝４１及び回転可能なフック４３、４４を有する保持具を設けているが、これと逆に基端ブーム側に溝とフックを有する保持具、ジブ側に丸棒のついた保持具を設けてもよい。またフック４４、４３は丸棒のついた保持具の方に取り付けてもよい。
そして丸棒３２の代わりに、溝４１とフック４３、４４とに係合する部分に凸部のあるものを用いてもよい。
【００１２】
（実施例２）
実施例１では、多段ブームの縮小を完了した状態で、ジブ２０を基端ブーム側方に格納する場合の格納保持装置であるが、まずジブ２０を旋回させ、ジブを多段ブームの側方に位置させた後、多段ブームを縮小して格納するタイプの格納保持装置について、その一実施例（実施例２）を以下に説明する。
図４にその基端ブーム側の保持具３０とジブ側の保持具５０の斜視図を示す。基端ブーム側の保持具３０は実施例１とほぼ同一である。
ジブ側の保持具の溝５１は、基端ブーム側の保持具３０の丸棒３２と係合するように、ジブ２０の先端方向に開いた形になっており（図４参照）、フック５３、５４は多段ブームが縮小して保持具５０が多段ブームの軸方向に移動する際に丸棒３２と溝５１とが係合するのにじゃまにならない位置に保持されており、丸棒３２と溝５１とが係合すると、操作者はレバー延長部５４ｂを持ってレバー５４ａを回転させ、フック５３、５４で丸棒３２を係止し、ジブ２０が多段ブームの軸方向に移動しないようにしてジブ２０を保持し格納するようになっている。
【００１３】
【発明の効果】
本発明に係るジブの格納保持装置は基端ブームとジブの各々に設けられた保持具が係合し、それを先端部に凹部を有するレバーを回転させて留めるようになっているため、ジブを格納する際、操作者はジブを基端ブーム側方に位置させ、前記レバーを回転させるだけで簡単に基端ブームとジブの保持具が係合し固定されるので、ジブを基端ブームに格納する際の保持具への取付作業及び格納状態からの解放作業が簡単確実に行える。またレバーの先端はジブの下方より外にあるので、操作者はジブの下方に入らず、ジブから離れた場所でレバーを操作して格納解放作業を行うことができるので安全である。
【図面の簡単な説明】
【図１】本発明の一実施例（実施例１）を用いてジブを基端ブーム側方に格納するときの状態を示す平面図である。
【図２】図１のＡ−Ａ断面図である。
【図３】実施例１の保持具を示す斜視図である。
【図４】実施例２の保持具を示す斜視図である。
【図５】従来例を用いてジブを基端ブーム側方に格納するときの状態を示す平面図である。
【図６】図５のＡ−Ａ断面図である。
【図７】従来例を用いてジブを基端ブームに格納し終えた状態を示す平面図及び側面図である。
【符号の説明】
１０              多段ブーム
１１              基端ブーム
１２              先端ブーム
１３ａ、１３ｂ    ジブ取付孔
１４ａ、１４ｂ    ジブ取付用ピン
１５              基端ブーム側の保持具（従来例）
１６              格納ピン（従来例）
１７              ジブ支持台
２０              ジブ
２１              ジブの基端部
２２ａ、２２ｂ    先端ブームへの取付孔
２３              ジブ側の保持具（従来例）
３０              基端ブーム側の保持具（実施例１、２）
３１              保持具の金具部分（実施例１、２）
３２              保持具の丸棒（実施例１、２）
４０              ジブ側の保持具（実施例１）
４１              保持具の溝（実施例１）
４２              フックの連結棒（実施例１）
４３              フック（実施例１）
４４              レバー付フック（実施例１）
４４ａ            レバー（実施例１）
４４ｂ            レバー延長部（実施例１）
４５              レバー延長部固定具（実施例１）
５０              ジブ側の保持具（実施例２）
５１              保持具の溝（実施例２）
５２              フックの連結棒（実施例２）
５３              フック（実施例２）
５４              レバー付フック（実施例２）
５４ａ            レバー（実施例２）
５４ｂ            レバー延長部（実施例２）
【図１】
0003918891.tif 000002
【図２】
0003918891.tif 000003
【図３】
0003918891.tif 000004
【図４】
0003918891.tif 000005
【図５】
0003918891.tif 000006
【図６】
0003918891.tif 000007
【図７】
0003918891.tif 000008